(57)【特許請求の範囲】
【請求項１】
磁性体を有する紙葉類を搬送する搬送路の近傍に配設され、搬送される紙葉類に対して着磁部を通じて磁界を印加する着磁手段と、
前記搬送路近傍における前記着磁手段の下流側に配設され、前記着磁手段による印加により前記紙葉類の磁性体が帯びる残留磁気によって生ずる磁界を検出面を通じて検出する磁気検出手段と
を共通のホルダ内に収容して構成した紙葉類検知センサにおいて、
前記検出面は、前記ホルダを構成し、かつ前記搬送路に対向するプレートに形成された平面状のものであり、
前記着磁部は、
前記プレートに形成された平面状の着磁面と、
前記着磁面から前記搬送路に向けて突出する態様で前記プレートに形成され、自身の頂部が前記検出面と同一平面上となる態様で前記紙葉類の搬送方向に沿って延在する長尺状の突起部と
を有して成ることを特徴とする紙葉類検知センサ。
【請求項２】
前記プレートには、前記着磁面と前記突起部との境界部分、並びに前記着磁面と前記検出面との境界部分に、それぞれ緩斜面が形成してあることを特徴とする請求項１に記載の紙葉類検知センサ。
【請求項３】
磁性体を有する紙葉類を搬送する搬送路の近傍に配設され、搬送される紙葉類に対して着磁部を通じて磁界を印加する着磁手段と、
前記搬送路近傍における前記着磁手段の下流側に配設され、前記着磁手段による印加により前記紙葉類の磁性体が帯びる残留磁気によって生ずる磁界を検出面を通じて検出する磁気検出手段と
を共通のホルダ内に収容して構成した紙葉類検知センサにおいて、
前記着磁部は、前記ホルダを構成し、かつ前記搬送路に対向するプレートに形成された平面状の着磁面を備えてなり、
前記検出面は、前記着磁面よりも前記搬送路に向けて突出し、かつ最大高さとなる態様で前記プレートに形成された平面状のものであることを特徴とする紙葉類検知センサ。
【請求項４】
前記プレートの前記着磁面及び前記検出面の両側には、前記搬送路に向けて突出し、かつ頂部が前記検出面と同一平面上となる態様で前記紙葉類の搬送方向に延在することにより、前記搬送路を通過する紙葉類が前記着磁面に接触することを規制する規制部材が設けてあることを特徴とする請求項３に記載の紙葉類検知センサ。
【請求項５】
磁性体を有する紙葉類を搬送する搬送路の近傍に配設され、搬送される紙葉類に対して着磁部を通じて磁界を印加する着磁手段と、
前記搬送路近傍における前記着磁手段の下流側に配設され、前記着磁手段による印加により前記紙葉類の磁性体が帯びる残留磁気によって生ずる磁界を検出面を通じて検出する磁気検出手段と
を共通のホルダ内に収容して構成した紙葉類検知センサにおいて、
前記着磁部は、前記ホルダを構成し、かつ前記搬送路に対向するプレートに形成された平面状の着磁面を備え、
前記検出面は、前記着磁面と同一の平面上となる態様で前記プレートに形成された平面状のものであり、
前記プレートにおける前記着磁面及び前記検出面の両側には、前記搬送路に向けて突出し、自身の頂部が最大高さとなる態様で前記紙葉類の搬送方向に沿って延在することにより前記搬送路を通過する紙葉類が前記着磁面に接触することを規制する規制部材を設けたことを特徴とする紙葉類検知センサ。
【請求項６】
前記着磁手段は、前記紙葉類の磁性体が有する保磁力以上の磁界強度を有する永久磁石であることを特徴とする請求項１〜５のいずれか一つに記載の紙葉類検知センサ。
【請求項７】
前記磁気検出手段は、薄膜フラックスゲート型磁気検出素子又は磁気インピーダンス素子であることを特徴とする請求項１〜６のいずれか一つに記載の紙葉類検知センサ。
【発明の詳細な説明】
【技術分野】
【０００１】
本発明は、紙葉類検知センサに関し、より詳細には、例えば磁性体を含有してなるインクによって印刷された紙幣等の紙葉類の磁気特性等を検知する紙葉類検知センサに関する。
【背景技術】
【０００２】
一般に、例えば紙幣や有価証券や商品券等の紙葉類の真贋等を識別する場合に、磁性体を含有してなるインクによって紙葉類に印刷された文字や図形や記号の磁気特性等を検知する紙葉類検知センサが用いられている。
【０００３】
そのような紙葉類検知センサは、紙葉類を搬送するための搬送路上に配設されており、着磁体（着磁手段）と磁気検出素子（磁気検出手段）とを共通のホルダ内に収納して一体的に構成されている。着磁体は、例えば永久磁石等から構成されるものである。この着磁体は、ホルダを構成し、かつ搬送路に対向するプレートに形成された着磁部を通じて、搬送される紙葉類に対して磁界を印加するものである。磁気検出素子は、例えば磁気インピーダンス素子であり、搬送路における着磁体の下流側に収納されている。この磁気検出素子は、上記着磁部が形成された同一のプレートに形成された検出面を通じて、着磁体による印加により紙葉類の磁性体が帯びる残留磁気によって生ずる磁界を検出するものである（例えば、特許文献１参照）。
【０００４】
【特許文献１】特開２０００−１０５６４７号公報
【発明の開示】
【発明が解決しようとする課題】
【０００５】
ところで、上述したような紙葉類検知センサでは、着磁体は１ｋガウス程度の磁力を必要とするため、実際の環境下では、着磁部に砂鉄や鉄粉等が付着してしまうのが一般的である。このように砂鉄や鉄粉等の付着物が着磁部に付着してしまうと、搬送路を通じて搬送される紙葉類の一部が該付着物に接触して該付着物を移動させてしまい、これにより、着磁体により印加された紙葉類の磁界が大きく変動し、磁気検出素子がこの磁界の変動を検出して出力が変化し、その結果、紙葉類の正しい残留磁気によって生ずる磁界を検知することができないという問題があった。
【０００６】
本発明は、上記実情に鑑みて、磁性体を有する紙葉類の残留磁気を良好に検知することができる紙葉類検知センサを提供することを目的とする。
【課題を解決するための手段】
【０００７】
上記目的を解決するために、本発明の請求項１に係る紙葉類検知センサは、磁性体を有する紙葉類を搬送する搬送路の近傍に配設され、搬送される紙葉類に対して着磁部を通じて磁界を印加する着磁手段と、前記搬送路近傍における前記着磁手段の下流側に配設され、前記着磁手段による印加により前記紙葉類の磁性体が帯びる残留磁気によって生ずる磁界を検出面を通じて検出する磁気検出手段とを共通のホルダ内に収容して構成した紙葉類検知センサにおいて、前記検出面は、前記ホルダを構成し、かつ前記搬送路に対向するプレートに形成された平面状のものであり、前記着磁部は、前記プレートに形成された平面状の着磁面と、前記着磁面から前記搬送路に向けて突出する態様で前記プレートに形成され、自身の頂部が前記検出面と同一平面上となる態様で前記紙葉類の搬送方向に沿って延在する長尺状の突起部とを有して成ることを特徴とする。
【０００９】
また、本発明の請求項２に係る紙葉類検知センサは、上述した請求項１において、前記プレートには、前記着磁面と前記突起部との境界部分、並びに前記着磁面と前記検出面との境界部分に、それぞれ緩斜面が形成してあることを特徴とする。
【００１０】
また、本発明の請求項３に係る紙葉類検知センサは、磁性体を有する紙葉類を搬送する搬送路の近傍に配設され、搬送される紙葉類に対して着磁部を通じて磁界を印加する着磁手段と、前記搬送路近傍における前記着磁手段の下流側に配設され、前記着磁手段による印加により前記紙葉類の磁性体が帯びる残留磁気によって生ずる磁界を検出面を通じて検出する磁気検出手段とを共通のホルダ内に収容して構成した紙葉類検知センサにおいて、前記着磁部は、前記ホルダを構成し、かつ前記搬送路に対向するプレートに形成された平面状の着磁面を備えてなり、前記検出面は、前記着磁面よりも前記搬送路に向けて突出し、かつ最大高さとなる態様で前記プレートに形成された平面状のものであることを特徴とする。
【００１１】
また、本発明の請求項４に係る紙葉類検知センサは、上述した請求項３において、前記プレートの前記着磁面及び前記検出面の両側には、前記搬送路に向けて突出し、かつ頂部が前記検出面と同一平面上となる態様で前記紙葉類の搬送方向に延在することにより、前記搬送路を通過する紙葉類が前記着磁面に接触することを規制する規制部材が設けてあることを特徴とする。
【００１２】
また、本発明の請求項５に係る紙葉類検知センサは、磁性体を有する紙葉類を搬送する搬送路の近傍に配設され、搬送される紙葉類に対して着磁部を通じて磁界を印加する着磁手段と、前記搬送路近傍における前記着磁手段の下流側に配設され、前記着磁手段による印加により前記紙葉類の磁性体が帯びる残留磁気によって生ずる磁界を検出面を通じて検出する磁気検出手段とを共通のホルダ内に収容して構成した紙葉類検知センサにおいて、前記着磁部は、前記ホルダを構成し、かつ前記搬送路に対向するプレートに形成された平面状の着磁面を備え、前記検出面は、前記着磁面と同一の平面上となる態様で前記プレートに形成された平面状のものであり、前記プレートにおける前記着磁面及び前記検出面の両側には、前記搬送路に向けて突出し、自身の頂部が最大高さとなる態様で前記紙葉類の搬送方向に沿って延在することにより前記搬送路を通過する紙葉類が前記着磁面に接触することを規制する規制部材を設けたことを特徴とする。
【００１４】
また、本発明の請求項６に係る紙葉類検知センサは、上述した請求項１〜５のいずれか一つにおいて、前記着磁手段は、前記紙葉類の磁性体が有する保磁力以上の磁界強度を有する永久磁石であることを特徴とする。
【００１５】
また、本発明の請求項７に係る紙葉類検知センサは、上述した請求項１〜６のいずれか一つにおいて、前記磁気検出手段は、薄膜フラックスゲート型磁気検出素子又は磁気インピーダンス素子であることを特徴とする。
【発明の効果】
【００１６】
本発明の紙葉類検知センサによれば、着磁部は、平面状の着磁面と、着磁面から搬送路に向けて突出し、頂部が検出面と同一平面上となる態様で紙葉類の搬送方向に沿って延在する長尺状の突起部とを備えてなるので、着磁面の方が突起部表面よりも着磁手段までの距離が短いため、該着磁面に作用する磁力が突起部表面で作用するよりも強い。そのため、空中を浮遊する小さな砂鉄や鉄粉等は、着磁面に付着し、突起部表面には付着し難い。突起部は、頂部が検出面と同一平面上となり、搬送される紙葉類が着磁面に付着する付着物（砂鉄や鉄粉等）に接触して該付着物を移動させてしまう虞れがない。従って、着磁手段により印加された紙葉類の磁界が大きく変動してしまうことがなく、紙葉類の残留磁気をを良好に検知することができるという効果を奏する。
【発明を実施するための最良の形態】
【００１７】
以下に添付図面を参照して、本発明に係る紙葉類検知センサの好適な実施の形態について詳細に説明する。尚、以下においては、紙葉類識別装置に適用される紙葉類検知センサについて説明する。
【００１８】
＜実施の形態１＞
図１は、本発明の実施の形態１における紙葉類検知センサを適用した紙葉類識別装置を模式的に示したものである。ここで例示する紙葉類識別装置１は、磁性体を含有してなるインクによって紙葉類Ｗに印刷された文字や図形や記号（以下、適宜これらを単に「磁気印刷部」と称する）の磁気特性等を検知し、かかる検知結果に基づいて紙葉類Ｗの真贋を識別するもので、紙葉類Ｗを搬送する搬送路Ｒの近傍に配設してある。この紙葉類識別装置１は、進入センサ２、紙葉類検知センサ１０、紙葉類進入検出部３、磁気検出部駆動部４及び信号処理回路６を備えている。
【００１９】
進入センサ２は、搬送路Ｒの入口近傍に配設してある。この進入センサ２は、例えば反射型フォトインタラブタのような光センサ等であり、進入する紙葉類Ｗを非接触で検知するものである。
【００２０】
紙葉類検知センサ１０は、搬送路Ｒの上側における進入センサ２の下流側に配設してある。この紙葉類検知センサ１０は、着磁体（着磁手段）１１及び磁気検出部（磁気検出手段）１２を備えており、搬送路Ｒを搬送される紙葉類Ｗに印刷された磁気印刷部の磁気量を検知するものである。紙葉類検知センサ１０についての詳細は後述する。
【００２１】
紙葉類進入検出部３は、進入センサ２に接続してあり、該進入センサ２が紙葉類Ｗの進入を検知して出力した信号に基づき、紙葉類Ｗの進入を検出するものである。磁気検出部駆動部４は、紙葉類進入検出部３及び磁気検出部１２のそれぞれに接続してあり、紙葉類進入検出部３が紙葉類Ｗの進入を検出して出力した信号に基づき、磁気検出部１２に駆動する旨の指令信号を出力するものである。信号処理回路６は、磁気検出回路５を通じて磁気検出部１２に接続してあり、磁気検出部１２が磁界を検出して出力した検出信号に基づき、予め記憶してある基準値と比較して所定の許容範囲内にあるか否かを判定して紙葉類Ｗの真贋を判定するものである。
【００２２】
図２〜図５は、それぞれ図１における紙葉類検知センサの構成を示したものであり、図２は、検知側を上面に示した斜視図であり、図３は、検知側を上面に示した平面図であり、図４は、図３におけるＡ−Ａ線断面図であり、図５は、図３におけるＢ−Ｂ線断面図である。これら図２〜図５において、紙葉類検知センサ１０は、着磁体１１及び磁気検出部１２がホルダ２０の内部に収納されて一体的に構成してある。
【００２３】
着磁体１１は、例えば３つの四角柱状の永久磁石１１ａ，１１ｂ，１１ｃを、紙葉類Ｗの搬送方向に対して直交する方向に沿って所定の間隔で並列させて立設させることにより構成したものである。ここに、永久磁石１１ａ，１１ｂ，１１ｃとしては、例えばサマリウム・コバルト磁石やネオジム磁石等の磁気特性に優れた希土類磁石が用いられており、紙葉類Ｗの磁性体が有する保磁力以上の磁界強度を有するものである。着磁体１１を構成する中央位置の永久磁石１１ａは、検知側（図２及び図４では上方側、図５では右方側）がＳ極であり、その反対側がＮ極となる態様で立設してあり、この永久磁石１１ａの両側に配設された永久磁石１１ｂ，１１ｃは、ともに検知側がＮ極であり、その反対側がＳ極となる態様で立設してある。これにより、着磁体１１は、両側の永久磁石１１ｂ，１１ｃの検知側であるＮ極から中央位置の永久磁石１１ａの検知側であるＳ極に向かう磁界を搬送路Ｒを通過する紙葉類Ｗの磁気印刷部に印加させる。
【００２４】
磁気検出部１２は、搬送路Ｒにおける着磁体１１の下流側に設けてある。この磁気検出部１２は、例えば磁気インピーダンス素子や薄膜フラックスゲート型磁気検出素子により構成してある。そのような磁気検出部１２は、上述した磁気検出部駆動部４から出力された指令信号に基づき通電状態となって駆動するものであり、着磁体１１による印加により紙葉類Ｗの磁性印刷部が帯びる残留磁気によって生ずる磁界を検出するものである。符号１３は、端子であり、磁気検出部１２と、磁気検出部駆動部４及び磁気検出回路５とを接続するためのものである。
【００２５】
また、磁気検出部１２の周囲には、磁気シールド部材２８が設けてある。磁気シールド部材２８は、例えばパーマロイ、アモルファス等から形成されるものであり、着磁体１１からの磁界波及を抑制するためのものである。
【００２６】
ホルダ２０は、上述したように、着磁体１１及び磁気検出部１２等を収容する筐体である。このホルダ２０の上面側、すなわち搬送路Ｒに対向する面（以下、検知面ともいう）側には、トッププレート２１が設けてある。トッププレート２１は、例えばリン青銅等の非金属材料により形成されたものである。このトッププレート２１には、着磁体１１に対応する部位に着磁部２２が形成してあるとともに、磁気検出部１２に対応する部位に検出面２３が形成してある。
【００２７】
着磁部２２は、着磁面２４及び突起部２５を有して構成してある。着磁面２４は、平面状のものである。突起部２５は、例えば絞り加工等で形成したものであり、着磁面２４から搬送路Ｒに向けて突出し、頂部２５ａが検出面２３と同一平面上となる態様で紙葉類Ｗの搬送方向に沿って延在する長尺状のものである。この突起部２５と着磁面２４との境界部分には、緩斜面２６が形成してある。また、突起部２５の突出高さは、付着する可能性のある空気中を浮遊する小さな砂鉄や鉄粉よりも大きくするために例えば０．２〜０．５ｍｍ程度である。
【００２８】
検出面２３は、平面状のものであり、突起部２５の頂部２５ａとともに最大高さとなる態様で、着磁面２４よりも搬送路Ｒに向けて突出した位置にある。つまり、検出面２３は、突起部２５とともに搬送路面を構成することになる。この検出面２３の突出高さは、突起部２５と同程度であり、付着する可能性のある空気中を浮遊する小さな砂鉄や鉄粉よりも大きくするために着磁面２４に比して例えば０．２〜０．５ｍｍ程度の大きさである。また、検出面２３と着磁面２４との境界部分には緩斜面２７が形成してある。
【００２９】
上記紙葉類検知センサ１０が適用された紙葉類識別装置１は、次のようにして搬送される紙葉類Ｗの真贋を識別する。
【００３０】
図には明示しない搬送ローラや搬送ベルト等の搬送手段により搬送される紙葉類Ｗが搬送路Ｒに進入すると、進入センサ２が検知してその旨を信号として紙葉類進入検出部３に出力され、進入したことが検出される。そして、紙葉類進入検出部３から磁気検出部駆動部４に紙葉類Ｗが進入した旨の信号が出力されると、磁気検出部駆動部４から紙葉類検知センサ１０の磁気検出部１２に駆動指令が出力され、磁気検出部１２が通電状態になって駆動する。
【００３１】
搬送路Ｒに進入した紙葉類Ｗが着磁体１１の磁界が及ぶ領域に到達すると、図６に示すように、紙葉類検知センサ１０は、着磁体１１により生ずる磁界、すなわち両側の永久磁石１１ｂ，１１ｃのＮ極から中央位置の永久磁石１１ａのＳ極に向かう磁界をトッププレート２１の着磁部２２を通じて印加して、紙葉類Ｗの磁気印刷部を磁化させる。磁気印刷部が磁化された紙葉類Ｗは、そのまま搬送路Ｒを搬送される。
【００３２】
そして、通電状態となった磁気検出部１２が、磁性印刷部が帯びる残留磁気によって生ずる磁界を検出し、その検出結果を検出信号として磁気検出回路５を通じて信号処理回路６に出力し、その後通電状態が解除されて待機状態になる。信号処理回路６では、磁気検出部１２により出力された検出信号に基づき、予め記憶してある基準値と比較して所定の許容範囲内にあるか否かを判定して紙葉類Ｗの真贋を判定する。
【００３３】
そのように紙葉類検知センサ１０では、着磁部２２を通じて着磁体１１の磁界が紙葉類Ｗに印加される。この着磁部２２は、着磁面２４と突起部２５とを有しており、着磁面２４の方が突起部２５の表面よりも着磁体１１（永久磁石１１ａ，１１ｂ，１１ｃ）までの距離が短いため、該着磁面２４に作用する磁力が突起部２５の表面で作用するよりも強い。そのため、図６に示すように、空中を浮遊する小さな砂鉄や鉄粉等の付着物Ｆは、着磁面２４に付着し、突起部２５の表面には付着し難い。上述したように、突起部２５は、頂部２５ａが検出面２３と同一平面上となり、検出面２３とともに搬送路面を構成するものであるから、搬送される紙葉類Ｗが着磁面２４に付着する付着物（砂鉄や鉄粉等）Ｆに接触して該付着物Ｆを移動させてしまう虞れがない。
【００３４】
従って、紙葉類検知センサ１０によれば、搬送される紙葉類Ｗが着磁面２４に付着する付着物Ｆに接触して該付着物Ｆを移動させてしまう虞れがないので、着磁体１１により印加された紙葉類Ｗの磁界が大きく変動してしまうことがなく、紙葉類Ｗの残留磁気を良好に検知することができる。
【００３５】
また、紙葉類検知センサ１０によれば、突起部２５の表面に付着物Ｆが付着し難いために、着磁部２２の全面が付着物Ｆに覆われる虞れがなく、着磁体１１により生ずる磁界を確実に紙葉類Ｗに印加させることができるとともに、耐環境性にも優れたものになる。
【００３６】
更に、紙葉類検知センサ１０によれば、トッププレート２１における着磁面２４と突起部２５との境界部分、並びに着磁面２４と検出面２３との境界部分に緩斜面２６，２７が形成してあるので、紙葉類Ｗがトッププレート２１に引っ掛かったり、詰まってしまう虞れがない。
【００３７】
＜実施の形態２＞
図７及び図８は、それぞれ本発明の実施の形態２における紙葉類検知センサを示したものであり、図７は、紙葉類の搬送方向に直行する方向から見た場合を模式的に示した断面図であり、図８は、紙葉類の搬送方向に平行な方向から見た場合を模式的に示した断面図である。尚、上述した実施の形態１における紙葉類検知センサ１０と同一の構成を有するものには同一の符号を付してその説明を省略する。
【００３８】
これら図７及び図８において、紙葉類検知センサ３０は、着磁体１１及び磁気検出部１２がホルダ４０の内部に収納されて一体的に構成してある。
【００３９】
ホルダ４０は、上述したように、着磁体１１及び磁気検出部１２等を収容する筐体である。このホルダ４０の上面側、すなわち搬送路Ｒに対向する面側には、トッププレート４１が設けてある。トッププレート４１は、例えばリン青銅等の非金属材料により形成されたものである。このトッププレート４１には、着磁体１１に対応する部位に着磁面４２（着磁部）が形成してあるとともに、磁気検出部１２に対応する部位に検出面４３が形成してある。
【００４０】
着磁面４２は、平面状のものである。検出面４３は、平面状のものであり、最大高さとなる態様で着磁面４２よりも搬送路Ｒに向けて突出した位置にある。つまり、検出面４３は、搬送路面を構成することになる。この検出面４３の突出高さは、付着する可能性のある空気中を浮遊する小さな砂鉄や鉄粉よりも大きくするために例えば０．２〜０．５ｍｍ程度の大きさである。また、検出面４３と着磁面４２との境界部分には緩斜面４７が形成してある。
【００４１】
そのような構成の紙葉類検知センサ３０においては、検出面４３が最大高さ位置にあって搬送路面を構成するため、搬送される紙葉類Ｗが着磁面４２に接触する虞れがない。そのため、着磁面４２に付着する付着物（砂鉄や鉄粉等）に接触して該付着物を移動させてしまう虞れがない。従って、紙葉類検知センサ３０によれば、搬送される紙葉類Ｗが着磁面４２に付着する付着物に接触して該付着物を移動させてしまう虞れがないので、着磁体１１により印加された紙葉類Ｗの磁界が大きく変動してしまうことがなく、紙葉類Ｗの残留磁気をを良好に検知することができる。
【００４２】
また、紙葉類検知センサ３０によれば、トッププレート４１における着磁面４２と検出面４３との境界部分に緩斜面４７が形成してあるので、紙葉類Ｗがトッププレート４１に引っ掛かったり、詰まってしまう虞れがない。
【００４３】
以上、本発明の実施の形態２について説明したが、本発明はこれに限定されるものではなく、種々の変更を行うことができる。
【００４４】
図９及び図１０は、それぞれ本発明の実施の形態２における紙葉類検知センサの変形例を示したものであり、図９は、紙葉類の搬送方向に直行する方向から見た場合を模式的に示した断面図であり、図１０は、紙葉類の搬送方向に平行な方向から見た場合を模式的に示した断面図である。尚、上述した実施の形態１及び２における紙葉類検知センサと同一の構成を有するものには同一の符号を付してその説明を省略する。
【００４５】
これら図９及び図１０において、紙葉類検知センサ３０′は、着磁体１１及び磁気検出部１２がホルダ４０′の内部に収納されて一体的に構成してある。
【００４６】
ホルダ４０′は、上述したように、着磁体１１及び磁気検出部１２等を収容する筐体である。このホルダ４０′の上面側、すなわち搬送路Ｒに対向する面側には、トッププレート４１が設けてある。トッププレート４１には、着磁面４２及び検出面４３の他に、規制部材４４が形成してある。規制部材４４は、着磁面４２及び検出面４３の両側に設けてあり、搬送路Ｒに向けて突出し、頂部が検出面４３とともに最大高さとなる態様で紙葉類Ｗの搬送方向に沿って延在するものである。つまり、この規制部材４４は、頂部が検出面４３と同一平面上となり、検出面４３とともに搬送路面を構成する。
【００４７】
そのような構成の紙葉類検知センサ３０′においては、規制部材４４が検出面４３とともに最大高さ位置にあって搬送路面を構成するため、搬送される紙葉類Ｗが着磁面４２に接触する虞れがない。そのため、着磁面４２に付着する付着物（砂鉄や鉄粉等）に接触して該付着物を移動させてしまう虞れがない。従って、紙葉類検知センサ３０′によれば、搬送される紙葉類Ｗが着磁面４２に付着する付着物に接触して該付着物を移動させてしまう虞れがないので、着磁体１１により印加された紙葉類Ｗの磁界が大きく変動してしまうことがなく、紙葉類Ｗの残留磁気をを良好に検知することができる。
【００４８】
＜実施の形態３＞
図１１及び図１２は、それぞれ本発明の実施の形態３における紙葉類検知センサを示したものであり、図１１は、紙葉類の搬送方向に直行する方向から見た場合を模式的に示した断面図であり、図１２は、紙葉類の搬送方向に平行な方向から見た場合を模式的に示した断面図である。尚、上述した実施の形態１及び２における紙葉類検知センサと同一の構成を有するものには同一の符号を付してその説明を省略する。
【００４９】
これら図１１及び図１２において、紙葉類検知センサ５０は、着磁体１１及び磁気検出部１２がホルダ６０の内部に収納されて一体的に構成してある。
【００５０】
ホルダ６０は、上述したように、着磁体１１及び磁気検出部１２等を収容する筐体である。このホルダ６０の上面側、すなわち搬送路Ｒに対向する面側には、トッププレート６１が設けてある。トッププレート６１は、例えばリン青銅等の非金属材料により形成されたものである。このトッププレート６１には、着磁体１１に対応する部位に着磁面６２（着磁部）が形成してあるとともに、磁気検出部１２に対応する部位に検出面６３が形成してあり、これら着磁面６２及び検出面６３の両側に規制部材６４が形成してある。
【００５１】
着磁面６２及び検出面６３は、ともに平面状のものである。規制部材６４は、着磁面６２及び検出面６３の両側に設けてあり、搬送路Ｒに向けて突出し、頂部が最大高さとなる態様で紙葉類Ｗの搬送方向に沿って延在するものである。つまり、この規制部材６４は、頂部が搬送路面を構成する。ここに、規制部材６４の突出高さは、付着する可能性のある空気中を浮遊する小さな砂鉄や鉄粉よりも大きくするために例えば０．２〜０．５ｍｍ程度である。
【００５２】
そのような構成の紙葉類検知センサ５０においては、規制部材６４の頂部が最大高さとなって搬送路面を構成するため、搬送される紙葉類Ｗが着磁面６２に接触する虞れがない。そのため、着磁面６２に付着する付着物（砂鉄や鉄粉等）に接触して該付着物を移動させてしまう虞れがない。従って、紙葉類検知センサ５０によれば、搬送される紙葉類Ｗが着磁面６２に付着する付着物に接触して該付着物を移動させてしまう虞れがないので、着磁体１１により印加された紙葉類Ｗの磁界が大きく変動してしまうことがなく、紙葉類Ｗの残留磁気をを良好に検知することができる。
【図面の簡単な説明】
【００５３】
【図１】本発明の実施の形態１における紙葉類検知センサを適用した紙葉類識別装置１を模式的に示した模式図である。
【図２】図１における紙葉類検知センサの構成を示したものであり、検知側を上面に示した斜視図である。
【図３】図１における紙葉類検知センサの構成を示したものであり、検知側を上面に示した平面図である。
【図４】図３におけるＡ−Ａ線断面図である。
【図５】図３におけるＢ−Ｂ線断面図である。
【図６】図３におけるＢ−Ｂ線断面図である。
【図７】本発明の実施の形態２における紙葉類検知センサを示したものであり、紙葉類の搬送方向に直行する方向から見た場合を模式的に示した断面図である。
【図８】本発明の実施の形態２における紙葉類検知センサを示したものであり、紙葉類の搬送方向に平行な方向から見た場合を模式的に示した断面図である。
【図９】本発明の実施の形態２における紙葉類検知センサの変形例を示したものであり、紙葉類の搬送方向に直行する方向から見た場合を模式的に示した断面図である。
【図１０】本発明の実施の形態２における紙葉類検知センサの変形例を示したものであり、紙葉類の搬送方向に平行な方向から見た場合を模式的に示した断面図である。
【図１１】本発明の実施の形態３における紙葉類検知センサを示したものであり、紙葉類の搬送方向に直行する方向から見た場合を模式的に示した断面図である。
【図１２】本発明の実施の形態３における紙葉類検知センサを示したものであり、紙葉類の搬送方向に平行な方向から見た場合を模式的に示した断面図である。
【符号の説明】
【００５４】
１      紙葉類識別装置
１０，３０，３０′，５０    紙葉類検知センサ
１１    着磁体
１２    磁気検出部
１３    端子
２０，４０，４０′，６０    ホルダ
２１，４１，６１    トッププレート
２２（４２，６２）    着磁部（着磁面）
２３，４３，６３    検出面
２４    着磁面
２５    突起部
２５ａ    頂部
２６，２７    緩斜面
４４，６４    規制部材
Ｗ      紙葉類
Ｒ      搬送路
【図１】
0004404044.tif 000002
【図２】
0004404044.tif 000003
【図３】
0004404044.tif 000004
【図４】
0004404044.tif 000005
【図５】
0004404044.tif 000006
【図６】
0004404044.tif 000007
【図７】
0004404044.tif 000008
【図８】
0004404044.tif 000009
【図９】
0004404044.tif 000010
【図１０】
0004404044.tif 000011
【図１１】
0004404044.tif 000012
【図１２】
0004404044.tif 000013